(57)【特許請求の範囲】
【請求項１】
インターネットプロトコルを有する通信網を介して相互に接続され、
複数の通話チャネルを転送用リンク毎に多重化して送受信するパケット多重化装置であって、
前記転送用リンク毎に、複数の通話チャネルを１つの多重化パケットに構成するパケット構成送信手段と、
異なる符号化方式を適用した複数の通話チャネルを１つの多重化パケットに構成する場合、符号化方式毎ｉに予め決定された単位パケットペイロードサイズ閾値Ｌｃｉと当該符号化方式の同時接続通話チャネル数Ｎｃｉとを乗算して符号化方式毎のパケットペイロードサイズ閾値（Ｌｃｉ・Ｎｃｉ）を算出し、前記多重化パケットに構成する全ての符号化方式ｉの総和Σｉのパケットペイロードサイズ閾値（Σｉ（Ｌｃｉ・Ｎｃｉ））を算出し、前記パケット構成送信手段毎に、送信する多重化パケットのパケットペイロードサイズ閾値を制御するパケット送信スケジュール手段と
を有することを特徴とする、異なる符号化方式に対応するパケット多重化装置。
【発明の詳細な説明】
【０００１】
【発明の属する技術分野】
本発明は、インターネットプロトコル（以下「ＩＰ」と称す）を有する通信網を介して相互に接続され、複数の通話チャネルの転送用リンクを設定するパケット多重化装置に関する。詳細には、１つのＩＰパケット（直接的にはＲＴＰパケット）のペイロードに、複数の音声／音声データ／ＦＡＸ等の通話チャネル情報を載せて転送する装置である。
【０００２】
【従来の技術】
図１は、パケット多重化装置の構成図である。該装置は、基本的に、制御部と、データ伝送部とからなる。制御部は、転送用リンク監視手段１と、パケット送信スケジュール制御部２とを有する。データ伝送部は、通話分配機能部４と、転送用リンク＃ｎ用符号化・復号化部５と、転送用リンク＃ｎ用パケット構成送信・受信分解部６とを有する。
【０００３】
転送用リンク監視手段１は、リンク毎に、識別番号、受信側装置ＩＰアドレス及びＵＤＰポート番号、並びに同時に接続チャネル数の関係を示す、以下のようなテーブル＃１を有する。
【０００４】
【表１】
0003719102.tif 000002
【０００５】
通話分配機能部４は、トランク回線３に到着した呼番号（トランク番号）と呼種とを、転送用リンク監視手段１へ通知する。
【０００６】
また、転送用リンク監視手段１は、パケット送信スケジュール制御部Ａ−２へリンク毎の制御情報を通知する。該制御部Ａ−２は、これら情報に基づいて、パケットペイロードサイズ閾値及びパケット送出周期を決定し、転送用リンク用パケット構成・送信部Ａ−６に指示する。
【０００７】
送信側パケット多重化装置の通話分配機能部Ａ−４は、接続されたトランク回線Ａ−３の通話チャネルを、各転送用リンクに分配する。転送用リンク符号化部Ａ−５は、分配された通話チャネルのデータを符号化し、リンク＃ｎ用パケット構成・送信部Ａ−６に転送する。リンク＃ｎ用パケット構成・送信部Ａ−６は、受信した符号データに呼の識別子及び符号化情報を有するショートパケットヘッダ（ＳＰＨ）を添付し、ショートパケット（ＳＰ）を構成する。その後、生成した複数のＳＰを、ＩＰ／ＵＤＰ／ＲＴＰヘッダを有するＩＰパケットペイロード部に組込み、受信側パケット多重化装置へＩＰパケットを送信する。
【０００８】
各転送用リンクのパケット構成・送信部Ａ−６は、パケット送信スケジュール制御部Ａ−２から指示されたパケット送信スケジュールに従って，生成ＩＰパケットの送信を行う。
【０００９】
受信側パケット多重化装置の転送用リンク＃ｎ用パケット受信・分解部Ｂ−６は、受信したＩＰパケットのペイロード部をＳＰ単位に分解する。その後、パケット受信・分解部Ｂ−６は、ＳＰＨを取り除いて復号化部Ｂ−５に転送すると同時に、ＳＰＨ内の呼の識別子情報等を通話分配機能部Ｂ−４に転送する。復号化部Ｂ−５は、受取ったデータを復号化し、通話分配機能部Ｂ−５に転送する。通話分配機能部Ｂ−５は、受取ったデータを所望の通話チャネルに分配する。
【００１０】
【発明が解決しようとする課題】
しかしながら、１つのパケットに固定的なパケットペイロードサイズ閾値及びパケット送出周期値の制御パラメータを用いると、パケット多重化装置に対するその時のトラヒック負荷量によっては、パケット組立における蓄積遅延及びヘッダによるオーバヘッドが大きくなるという問題があった。特に、１つの転送用リンクに、異なる符号化方式の複数の接続通話チャネルが同時に設定されるとその問題はより顕著となる。
【００１１】
また、何らかの制御によってパケットペイロードサイズ閾値及びパケット送出周期値を可変することもできるが、１つの転送用リンクに、異なる符号化方式の複数の接続通話チャネルが同時に接続されている場合には、効果的なパラメータを求めることは困難である。このような問題に対しては、従来、１つの転送用リンクには１つの符号化方式の接続通話チャネルしか接続しないことで解決していた。
【００１２】
更に、たとえ最適なパラメータを導き出すことができたとしても、パケット送出周期値を細かい単位で制御することは、正確なクロックを必要とする等のハードウェア的な制約によって困難ともいえる。
【００１３】
そこで、本発明は、異なる符号化方式を適用した通話チャネルが、1つの転送用リンクに同時に接続されている場合においても、パケットペイロードサイズ閾値の制御のみによって最適な伝送を実現するパケット多重化装置を提供することを目的とする。
【００１４】
【課題を解決するための手段】
従って、本発明は、インターネットプロトコルを有する通信網を介して相互に接続され、複数の通話チャネルを転送用リンク毎に多重化して送受信するパケット多重化装置であって、
転送用リンク毎に、複数の通話チャネルを１つの多重化パケットに構成するパケット構成送信手段と、
転送用リンク毎に、１つ以上の通話チャネルを１つの多重化パケットに構成するパケット構成送信手段と、
異なる符号化方式を適用した複数の通話チャネルを１つの多重化パケットに構成する場合、符号化方式毎ｉに予め決定された単位パケットペイロードサイズ閾値Ｌｃｉと当該符号化方式の同時接続通話チャネル数Ｎｃｉとを乗算して符号化方式毎のパケットペイロードサイズ閾値（Ｌｃｉ・Ｎｃｉ）を算出し、前記多重化パケットに構成する全ての符号化方式ｉの総和Σｉのパケットペイロードサイズ閾値（Σｉ（Ｌｃｉ・Ｎｃｉ））を算出し、前記パケット構成送信手段毎に、送信する多重化パケットのパケットペイロードサイズ閾値を制御するパケット送信スケジュール手段と
を有することを特徴とする。
これにより、パケットペイロードサイズ閾値の制御のみによって最適な伝送を実現することができる。
【００１５】
【発明の実施の形態】
以下では、図面を用いて、本発明の実施形態を詳細に説明する。
【００１６】
本発明のパケット多重化装置の構成は、前述した図１のパケット多重化装置と同様であるが、パケット送信スケジュール制御部２の制御方法が異なっている。特に、パケット送信スケジュール制御部Ａ−２は、以下のテーブル＃２及び＃３を有する。また、図２は、本発明におけるパケットペイロードサイズ閾値を決定するためのフローチャートである。
【００１７】
【表２】
0003719102.tif 000003
【００１８】
【表３】
0003719102.tif 000004
【００１９】
テーブル＃２は、符号化種別毎の単位パケットペイロードサイズ閾値の一例を表している。テーブル＃３は、複数の符号化方式を適用した場合の転送用リンク管理テーブルの一例を表している。テーブル＃１と＃３とを比較して、テーブル＃１の同時に接続チャネル数は、テーブル＃３では符号化方式毎に記憶されている。
【００２０】
前述した図１によれば、最初に、転送用リンク監視手段１は、リンク毎ｃに動的に変化する同時接続通話チャネル数Ｎｃを検知する。このとき、該同時接続通話チャネル数Ｎｃに対する符号化方式毎ｉのチャネル数Ｎｃｉも検知する。次に、当該リンク毎ｃの同時接続通話チャネル数Ｎｃを、パケット送信スケジュール制御部２へ通知する。該制御部２は、当該リンク毎ｃに、符号化方式毎ｉの同時接続通話チャネル数Ｎｃｉに比例して、パケットのペイロードサイズ閾値Ｌｍを決定する。そして、そのサイズ閾値をパケット構成・送信部６へ通知する。
【００２１】
パケットペイロードサイズ閾値Ｌｍは、以下の式によって決定することができる。
Ｌｍ＝Σｉ（Ｌｃｉ・Ｎｃｉ）
【００２２】
異なる符号化方式を適用した通話チャネルが、1つの転送用リンクｃに同時に接続されている場合、符号化方式毎ｉに予め設定した単位パケットペイロードサイズ閾値Ｌｃ（テーブル＃２参照）に、該当する符号化方式を適用している接続チャネル数Ｎｃを乗算し、全ての符号化方式の値を合計した値Σｉを、パケットペイロードサイズ閾値とする。尚、このパケットペイロードサイズ閾値の計算は、各符号化方式を適用している接続チャネル数が変化する毎に行われる。また、このパケットペイロードサイズ閾値の計算のため、テーブル＃３では、符号化方式毎に同時接続通話チャネル数を管理している。
【００２３】
パケットのペイロードサイズ閾値を制御する方法について説明する。各リンクのパケット構成・送信部Ａ−６は、パケット送信スケジュール制御部２より指示された、ペイロードサイズ閾値を保持する。そして、ＳＰをＩＰパケットペイロード部に格納する毎にペイロードサイズを加算していき、そのペイロードサイズとペイロードサイズ閾値とを比較する。比較の結果、ペイロードサイズが、ペイロードサイズ閾値を超えた場合に、生成したＩＰパケットを送信する。
【００２４】
前述した本発明のパケット多重化装置の種々の実施形態について、当業者によれば、本発明の技術思想及び見地の範囲の種々の変更、修正及び省略は容易に行うことができる。前述の説明はあくまで例であって、何ら制約しようとするものではない。本発明は、特許請求の範囲及びその均等物として限定するものにのみ制約される。
【００２５】
【発明の効果】
以上、詳細に説明したように、本発明のパケット多重化装置によれば、異なる符号化方式を適用した複数の通話チャネルが、１つの転送用リンクに同時に接続されていても、パケットペイロードサイズ閾値の制御のみによって最適な伝送を実現することができる。
【００２６】
また、パケット送出周期を制御する必要がないので、ハードウェア的な制約もなくなり、より実現が容易となる。
【図面の簡単な説明】
【図１】  転送用リンクを設定するパケット多重化装置の構成図である。
【図２】  本発明におけるパケットペイロードサイズ閾値を決定するためのフローチャートである。
【図１】
0003719102.tif 000005
【図２】
0003719102.tif 000006